(57)【特許請求の範囲】
【請求項１】
表面に指掛凹部を有するケーシングと、このケーシングの表面周囲に張り出しされるフランジ部とを備える引手本体と、引手本体のフランジ部の底面に一体取付けされる係止片とから成り、
係止片には戸の掘込穴にケーシングと係止片とを押し込んだときに引手本体を掘込穴の内壁にロックさせる係止爪が設けられており、
上記フランジ部の、上記戸の表面に対向する端縁には、係入溝が設けられ、押圧したときに上記係止爪のロックを解除させる上記係止片の端部が、該係入溝の開口から臨いた状態で、且つ、該係入溝に係入された状態で取り付けされることを特徴とする引手。
【請求項２】
掘込穴の内壁にはさらに係止爪が係入する凹溝が凹欠されている請求項１に記載の引手。
【請求項３】
係止片は断面略コ字形を呈し、その底片がケーシングの底面に沿うように形成されるとともに側片には掘込穴の内壁に向けて係止爪が突設されている請求項１又は２に記載の引手。
【発明の詳細な説明】
【０００１】
【発明の属する技術分野】
本発明は、建具や家具等の引戸や扉類に取り付けられる引手に関するものである。
【０００２】
【従来の技術】
従来引戸類に取り付けされる引手９０は、図７に示されるように、表面に指掛凹部９２を有するケーシング９１と、その表面周囲に外方へ向かって張り出しされるフランジ部９３とを備えて構成されている。
【０００３】
上記引手９０の取り付けに際しては、引戸９４に掘込穴９５を設け、この掘込穴９５にケーシング９１を埋設し、指掛凹部９２の上壁９６と下壁９７とから掘込穴９５の側壁へとくぎ９８をそれぞれ打ち込みして固定していた。
【０００４】
【発明が解決しようとする課題】
ところで、くぎ９８を上壁９６と下壁９７とに垂直に打ち込みして取り付けする場合には、指掛凹部９２の上下寸法で金槌の打ち込みストロークが規制されるために、打ち込みに力を加えられないものであった。特に、上壁９６に向けて下側から打ち上げ作業することは、著しく面倒となるものであり、いずれにしても組付け作業に手間と時間とがかかるものであった。
【０００５】
また、打ち込み作業に際しては、指掛凹部９２から離れる前面側から斜めにくぎ９８を打ち込みがちとなるもので、斜め打ち込みしたときにはくぎ９８の頭部が上壁９６と下壁９７とから斜めに露出するおそれが避けられなかった。くぎ９８の頭部が僅かでも斜めに露出すると、使用者の指先に触れてしまう可能性があった。
【０００６】
さらに、引戸９４を継続使用すると、開閉時の柱等との衝撃の繰り返しによってくぎ９８が上壁９６と下壁９７とから早期に浮き出てくることがある。その結果、使用者の指先に触れるばかりか、引手９０が脱落することが懸念される。
【０００７】
くぎ９８に代えてねじを使用することもあるが、ねじ込みの際には、ドライバーが指掛凹部９２に規制されて斜めから使用されるもので、依然作業が面倒となるものであった。また、叙述と同様に斜めの露出と浮き出しとが避けられないものであった。
【０００８】
一方、くぎ９８によって引手９０を取付けてしまうと、取り外しの際にはくぎ９８を抜き取る必要があり、打ち込み作業と同様に面倒であるとともに、抜き取り作業中に引手９０や引戸９４に傷をつけてしまうことが懸念される。
【０００９】
本発明は、このような事情に対処してなされたもので、引手を掘込穴に簡単にワンタッチで取り付けし、安全性を高めるとともに、取り外しも簡単に行えるようにした引手を提供することを目的とするものである。
【００１０】
【課題を解決するための手段】
前述の課題を解決するための本発明の構成は、次のとおりである。
請求項１に記載した発明は、表面に指掛凹部を有するケーシングと、このケーシングの表面周囲に張り出しされるフランジ部とを備える引手本体と、引手本体のフランジ部の底面に一体取付けされる係止片とから成り、係止片には戸の掘込穴にケーシングと係止片とを押し込んだときに引手本体を掘込穴の内壁にロックさせる係止爪が設けられており、上記フランジ部の、上記戸の表面に対向する端縁には、係入溝が設けられ、押圧したときに上記係止爪のロツクを解除させる上記係止片の端部が、該係入溝の開口から臨いた状態で、且つ、該係入溝に係入された状態で取り付けされることを特徴としている。
【００１１】
この構成によれば、引手本体にはフランジ部の底面に係止片が一体取付けされる。戸には掘込穴が設けられ、この掘込穴にケーシングと係止片とを押し込むと、係止片に設けられた係止爪が弾性によって掘込穴の内壁に係入してロックし、引手本体が取付けされる。
また、フランジ部の対向する端縁に形成された係入溝の開口から臨く係止片の端部をドライバー等の工具で押圧すると拡開状態の係止爪が縮退し、係止爪は出没自在の状態となる。係止爪が縮退した状態になると係止爪のロックは解除され、このまま引手本体を引き抜くことで引手本体は戸から取り外される。
【００１２】
また、請求項２の引手において、掘込穴の内壁にはさらに係止爪が係入する凹溝が凹欠されている。
【００１３】
この手段によると、掘込穴の内壁に設けられた凹溝に係止爪が係入し、ロックすることによって、引手本体が取付けされる。
【００１４】
また、請求項３の引手において、係止片は断面略コ字形を呈し、その底片がケーシングの底面に沿うように形成されるとともに側片には掘込穴の内壁に向けて係止爪が設けられている。
【００１５】
この手段によると、引手本体は、係止片に対して断面略コ字形を呈する係止片の底片がケーシングの底面に沿った安定した状態で取付けされる。引手本体の戸への取付けに際しては、側片に設けられた係止爪が掘込穴の内壁にロックすることによって、取付けされる。
【００２０】
【発明の実施の形態】
以下、本発明の一実施の形態を図１〜図６に基づいて説明する。
【００２１】
引手１は、引手本体２とこの引手本体２に一体取付けされる係止片３とから組合せられて構成される。
【００２２】
引手本体２は、表面に指掛凹部２２を有するケーシング２１と、このケーシング２１の表面周囲に張り出しされるフランジ部２３とを有する。ケーシング２１の外径は平面視矩形や環状等の各種形態を採用することができる。また、ケーシング２１は掘込穴４１の径よりも僅かに小径とし、同一径で底面２１ａまで延長することができる。
【００２３】
フランジ部２３の端縁２４には、フランジ部２３の底面２３ａ側にその端縁を折り返し、断面略コ字形を呈して係入溝２５が設けられている。係入溝２５は係止片３が係入する部分であってバネ性を有していることが好ましく、係止片３の係入後に引手本体２と係止片３との間でがたつきが生じるのを防止するために係止片３の肉厚と略同寸に溝幅を形成することができる。係入溝２５には、上側端縁部２４ｂ，下側端縁部２４ｃのそれぞれ略中央位置に対向して開口２６ｂ，２６ｃが設けられている。開口２６ｂ，２６ｃは、後述する係止片３の端部３２ａ，３３ａが臨くように、その開口の幅は係止片３の径よりも短寸に形成されるのが好ましい。
【００２４】
係止片３は、断面略略コ字形を呈して形成することができる。係止片３は、ケーシング２１の底面２１ａに沿うように底片３１が形成され、引手本体２と係止片３との取付けを安定した状態に保つことができる。底片３１の両端部からは側片３２，３３が延設されている。側片３２，３３の長さは、引手本体２を係止片３との取付時に安定した状態に保つことを考慮すると、掘込穴４１の深さと略略同寸に形成するのが好適である。側片３２，３３の端部３２ａ，３３ａは、引手本体２の係入溝２５に係入するのに必要な程度の長さを有して外方に折り返すことができる。
【００２５】
側片３２，３３には、掘込穴４１の内壁４２に向かって係止爪３４がそれぞれ底片３１側に向かって傾斜面を有して設けられている。係止爪３４は、図示するように、側片３２，３３の一部を屈設させて断面略く字形に形成することができる。側片３２，３３には、係止爪３４を出没自在の状態にするための切り込み３５を係止爪３４を挟んだ状態に設けることができる。
【００２６】
次に、引手１の引戸４への取付けについて説明する。
まず、引戸４には，引手本体２を取付ける所定の位置に掘込穴４１を穿設しておく。掘込穴４１の内壁４２には、上壁４２ａ，下壁４２ｂの底壁４２ｃ側に凹溝４３，４４を凹欠しておく。凹溝４３，４４は、引手本体２の取付けを安定させたものとするために、引戸４の厚み方向に係止爪３４の長さと同寸又は僅かに長く凹欠しておくことが好ましい。
【００２７】
引手本体２と係止片３との取付けに際しては、係止片３の端部３２ａ，３３ａを引手本体２の上側端縁部２４ｂ，下側端縁部２４ｃに向けて係止片３を引手本体２のケーシング２１の底面２１ａ側から挿入する。係止片３の端部３２ａ，３３ａの表面が引手本体２のフランジ部２３の底面２３ａに当接したところで、フランジ部２３の係入溝２５に係止片３の端部３２ａ，３３ａを係入する。そして、係入した端部３２ａ，３３ａは、係入溝２５に設けられた開口２６ｂ，２６ｃから切り込み３５に挟まれた係止片３６が臨くように位置決めしておく。これにより、引手本体２と係止片３とは一体として安定した状態で取付けされる。その一方で、開口２６ｂ，２６ｃから臨く係止片３の端部３２ａ，３３ａを押圧することによって、係止爪３４，３４が出没自在の状態で取付けされる。
【００２８】
引手本体２の引戸４への取付けは、掘込穴４１にケーシング２１と係止片３とを押圧して埋め込みするだけで足りる。即ち、係止爪３４，３４は底片３１側に向かって傾斜面を有して設けられているので、ケーシング２１と係止片３は掘込穴４１の上壁４２ａ，下壁４２ｂに沿って案内され、係止片３の底片３１は掘込穴４１の底壁４２ｃに到達する。到達した時点で、係止爪３４，３４が凹溝４３，４４に係入しそれぞれ外方に向かって拡開する。その結果、係止爪３４，３４が凹溝４３，４４でロックし、引手本体２が取付けされる。係止片３は引手本体２のフランジ部２３の底面２３ａに取付けされているので、引手本体２の取付け後は引戸４の表面からは見ることができない。
【００２９】
次に、引手本体２の引戸４からの取り外しについて説明する。
引手本体２の開口２６ｂ，２６ｃから臨く係止片３の端部３２ａ，３３ａを押圧しながらケーシング２１と係止片３とを引き抜くだけで足りる。即ち、図５に示すように、開口２６ｂ，２６ｃから臨く係止片３の端部３２ａ，３３ａをドライバー等の工具で押圧すると、係止爪３４は拡開状態から縮退する。その結果、係止爪３４は掘込穴４１の上壁４２ａ，下壁４２ｂと面一となりロックが解除されるので、この状態でケーシング２１と係止片３とを引き抜くと、上壁４２ａ，下壁４２ｂに沿って案内され、引手本体が取り外される。
【００３０】
以上より、本実施の形態によれば、引手本体２に係止片３を取付けてこれを掘込穴に押し込むだけで係止爪３４の弾性によってロックされ、引手本体２を引戸４に取付けすることができるとともに、押し込むだけで取付けを行っているので、引戸４から引手本体２が脱落するのを防止することができる。また、係止片３の端部３２ａ，３２ｂを押圧しながら引手本体２を引き抜くだけの簡単な作業で引手本体２を取り外すことができる。さらに、係止片３を引手本体２のフランジ部２３の裏面２３ａに一体として取付け、係止片３は表面から見えない状態で引戸４に取付けされる二重構造となっているので、部材が二つになっても外観上の美感を損なうことはない。
【００３１】
なお、本実施の形態においては、掘込穴４１の内壁４２に凹溝４３，４４を設ける形態を示したが、図６に示すように、軟質の木材を引戸４として用いている場合等においては、凹溝を設けないで実施することもできる。この場合、係止爪３４は掘込穴４１の内壁４２に食い込みして係止される。
【００３２】
また、本実施の形態においては、係止片３の側片３２，３３に切り込み３５を設ける構成を示したがこれを設けない構成とすることもできる。また、係止爪３４は、係止片３との一部を屈設させて断面略く字形とする構成を示したが、これに限られず、上記と同様の効果を得ることができればその形状は問わない。
【００３３】
また、係止片３は引手本体２の上下方向の係入溝２５に取付ける構成を示したが、これに限られず、左右方向の係入溝２５に係入する構成等を採用することもできる。
【００３４】
さらに、掘込穴４１を貫通孔として形成し、内壁４２に凹溝を設ける等して、引戸４の両面から引手本体２を取付けすることもできる。
【００３５】
【発明の効果】
本発明によれば、予め引手本体に係止片を取付けて固定した状態で掘込穴に押し込むだけで簡単に引手本体を戸に取付けすることができるので、引手の取付け時間の短縮等、作業の効率化を図ることができるとともに、押し込むだけで取付けを行っているので引手本体の脱落を防止することができる。また、係止片の端部を押圧しながら引手本体を引き抜くだけで簡単に引手本体を取り外すことができるので、取り外し作業時の作業の効率化も図ることができる。さらに、係止片が表面から見えない状態で戸に取付けされる二重構造となっているので、部材が二つになっても外観上の美感を損なうことはない。
【図面の簡単な説明】
【図１】図１は、本発明に係る引手の一実施の形態を示す分解斜視図である。
【図２】図２は、引手本体と係止片との取付け状態を示す斜視図である。
【図３】図３は、掘込穴への引手の取付け開始状態を示す断面図である。
【図４】図４は、掘込穴への引手の取付け状態を示す断面図である。
【図５】図５は、引手の要部拡大断面図である。
【図６】図６は、本発明に係る引手の他の実施の形態を示す断面図である。
【図７】図７は、従来例を示す斜視図である。
【符号の説明】
１            引手
２            引手本体
３            係止片
４            引戸
２１          ケーシング
２２          指掛凹部
２３          フランジ部
２４          端縁
２５          係入溝
２６ｂ，２６ｃ    開口
３１          （係止片の）底片
３２，３３    （係止片の）側片
３４          係止爪
３５          切り込み
４１          掘込穴
４２          （掘込穴の）内壁
４３，４４    凹溝
【図１】
0003874447.tif 000002
【図２】
0003874447.tif 000003
【図３】
0003874447.tif 000004
【図４】
0003874447.tif 000005
【図５】
0003874447.tif 000006
【図６】
0003874447.tif 000007
【図７】
0003874447.tif 000008